(57)【要約】      （修正有）【課題】長期間の使用によっても汚れにくく、かつ飽きがこない電気式人工喉頭およびその電気式人工喉頭に用いられるカバー部材を提供する。【解決手段】喉頭摘出者の発声補助機器として手で保持されながら使用される電気式人工喉頭（人工喉頭１）において、発声補助機能を発揮させるための回路を内部に有する本体２と、その本体２の表面の一部を被覆する脱着可能なカバー部材３と、本体２の残部から取り外すことでカバー部材３が脱着可能となるようにした係止部材（電池キャップ４）と、を備えている。また、カバー部材３は、喉頭摘出者の発声補助機器として手で保持されながら使用される電気式人工喉頭（人工喉頭１）の本体２の表面を覆うために、その本体２に脱着可能とされる。【選択図】図３
0003150181.tif 000002
【実用新案登録請求の範囲】
【請求項１】
喉頭摘出者の発声補助機器として手で保持されながら使用される電気式人工喉頭において、
発声補助機能を発揮させるための回路を内部に有する本体と、その本体の表面の一部を被覆する脱着可能なカバー部材と、
上記本体の残部から取り外すことで上記カバー部材が脱着可能となるようにした係止部材と、を備えたことを特徴とする電気式人工喉頭。
【請求項２】
請求項１に記載の電気式人工喉頭において、前記本体の形状を棒状とし、その長さ方向に沿って前記カバー部材が脱着されることを特徴とする電気式人工喉頭。
【請求項３】
請求項１または２記載の電気式人工喉頭において、前記本体の表面に前記電気式人工喉頭の機能の一部を発揮させる操作部を備え、前記カバー部材は、上記操作部の一部または全部を避けて上記表面の一部を被覆することを特徴とする電気式人工喉頭。
【請求項４】
請求項１から３のいずれか１項に記載の電気式人工喉頭において、前記本体の表面には、前記カバー部材の脱着の方向を決定し前記カバー部材の端部を収容するガイド溝が形成されていることを特徴とする電気式人工喉頭。
【請求項５】
請求項１から４のいずれか１項に記載の電気式人工喉頭において、前記係止部材が電力源となる電池を保持する電池のキャップ部材であり、前記カバー部材が装着されている状態では、上記キャップ部材によって前記カバー部材の取り外しが阻止されることを特徴とする電気式人工喉頭。
【請求項６】
請求項１から５のいずれか１項に記載の電気式人工喉頭において、前記本体の形状を円柱状の形状とし、上記円柱の側面のうち初期の設定に必要となる設定スイッチが配置される側に前記カバー部材が上記設定スイッチを覆うように配置されることを特徴とする電気式人工喉頭。
【請求項７】
請求項１から６のいずれか１項に記載の電気式人工喉頭において、表面がカラー化された前記カバー部材が装着されていることを特徴とする電気式人工喉頭。
【請求項８】
請求項１に記載の電気式人工喉頭において、前記カバー部材が装着されていないことを特徴とする電気式人工喉頭。
【請求項９】
喉頭摘出者の発声補助機器として手で保持されながら使用される電気式人工喉頭の本体の表面を覆うために、その本体に脱着可能とされるカバー部材。
【考案の詳細な説明】
【技術分野】
【０００１】
本考案は、電気式人工喉頭およびそのカバー部材に関する。
【背景技術】
【０００２】
喉頭摘出者の発声補助機器として電気式の人工喉頭が知られている。この種の人工喉頭として、利用者の掌に収まるサイズの略円筒形状をなしている筐体を備えた人工喉頭がよく知られている（特許文献１参照）。この人工喉頭は、全体として円柱形状（棒状）の機器であり、利用者が片手で保持しながら操作し得るものである。
【先行技術文献】
【特許文献】
【０００３】
【特許文献１】特開２００８−１９９１９１号公報
【考案の概要】
【考案が解決しようとする課題】
【０００４】
特許文献１記載の電気式人工喉頭は、利用者が手で保持しながら使用するものであるため、長期間の使用によって筐体の表面が汚れることがある。また、同じ色のものを長期間使用すると、新鮮さがうすれ、飽きがくる。
【０００５】
そこで、本考案の目的は、長期間の使用によっても汚れにくく、かつ飽きがこない電気式人工喉頭およびその電気式人工喉頭に用いられるカバー部材を提供することである。
【課題を解決するための手段】
【０００６】
上記目的を達成するため、本考案の電気式人工喉頭は、喉頭摘出者の発声補助機器として手で保持されながら使用される電気式人工喉頭において、発声補助機能を発揮させるための回路を内部に有する本体と、その本体の表面の一部を被覆する脱着可能なカバー部材と、本体の残部から取り外すことでカバー部材が脱着可能となるようにした係止部材と、を備えている。
【０００７】
ここで、本体の形状を棒状とし、その長さ方向に沿ってカバー部材が脱着されることが好ましい。
【０００８】
また、本体の表面に電気式人工喉頭の機能の一部を発揮させる操作部を備え、カバー部材は、操作部の一部または全部を避けて表面の一部を被覆することが好ましい。
【０００９】
また、本体の表面には、カバー部材の脱着の方向を決定しカバー部材の端部を収容するガイド溝が形成されていることが好ましい。
【００１０】
また、係止部材が電力源となる電池を保持する電池のキャップ部材であり、カバー部材が装着されている状態では、キャップ部材によってカバー部材の取り外しが阻止されることが好ましい。
【００１１】
また、本体の形状を円柱状の形状とし、円柱の側面のうち初期の設定に必要となる設定スイッチが配置される側にカバー部材が設定スイッチを覆うように配置されることが好ましい。
【００１２】
また、表面がカラー化されたカバー部材が装着されていることが好ましい。
【００１３】
また、カバー部材が装着されていないこととすることができる。
【００１４】
上記目的を達成するため、本考案のカバー部材は、喉頭摘出者の発声補助機器として手で保持されながら使用される電気式人工喉頭の本体の表面を覆うために、その本体に脱着可能とされる。
【考案の効果】
【００１５】
本考案では、長期間の使用によっても汚れにくく、かつ飽きがこない電気式人工喉頭およびその電気式人工喉頭に用いられるカバー部材を提供することができる。
【図面の簡単な説明】
【００１６】
【図１】本考案の実施の形態に係る人工喉頭の概略構成を示す正面図であって、カバー部材はその背面に装着されている。
【図２】本考案の実施の形態に係るカバー部材の斜視図である。
【図３】本考案の実施の形態に係る人工喉頭の側面図であって、カバー部材の装着後の状態と、電池キャップを外してカバー部材を脱着する状態を示す図である。
【図４】本考案の実施の形態に係る人工喉頭の背面図および底面図であって、カバー部材の装着後の状態と、電池キャップを外してカバー部材を脱着する状態を示す図である。
【図５】本考案の実施の形態に係る電池キャップの縦断面図である。
【図６】図５に示す電池キャップが本体に装着されている状態の縦断面図であって、カバー部材が装着されていない状態とカバー部材が装着されている状態とを示す図である。
【考案を実施するための形態】
【００１７】
以下、本考案の実施の形態に係る電気式人工喉頭（以下、「人工喉頭」という。）およびそのカバー部材の構成について、図面を参照しながら説明する。
【００１８】
（人工喉頭の構成）
図１は、本考案の実施の形態に係る電気式人工喉頭（以下、単に「人工喉頭１」という。）の正面図であって、カバー部材３（図２参照）はその背面に装着されている。人工喉頭１は、本体２と、カバー部材３と、本体２の一部を形成しカバー部材３の脱着の際に本体２の残部から取り外される電池キャップ４とを備えている。
【００１９】
人工喉頭１の本体２は、声の元となる音源を発生させる音源部１０と、その音源部１０を制御する制御回路を有する制御部１１とを主たる構成要素として備えている。音源部１０は、押しボタンスイッチ１２の操作により、制御部１１で出力する音の周波数を計算された後に駆動され、その音の周波数や音の音量を設定するために設定スイッチ１３があり、それらは樹脂製の筐体１４によって覆われている。
【００２０】
図２は、カバー部材３の斜視図である。カバー部材３は、平行に対向する２つの細長い長方形の平板部３Ａと、２つの平板部３Ａを結合する半円筒状に湾曲する湾曲板３Ｂとが、一体成形されている平滑な成形物である。また、カバー部材３の一方の端部３Ｃは、半円状部とその半円状部の両端から伸びる２つの直線状部で形成されている。
【００２１】
図３は、人工喉頭１の側面図であって、カバー部材３の装着後の状態（図３の左）と、係止部材およびキャップ部材となる電池キャップ４を外してカバー部材３を脱着する状態（図３の右）を示す図である。人工喉頭１は、外形が略円柱形状の棒状である。その略円柱形状の筐体１４は、側面（図３における上下方向）に細長い長方形の平面となる平面部１４Ａをその円柱の中心から１８０°離れた側面に２箇所有する。筐体１４のその他の部分は、半円柱状に湾曲した２つの湾曲部１４Ｂ，１４Ｃとされている。
【００２２】
図４は、人工喉頭１の背面図および底面図であって、カバー部材３の装着後の状態（図４の左）と、電池キャップ４を外してカバー部材３を脱着する状態（図４の右）を示す図である。電池キャップ４の底面図（図４の左下の図）には、平面部１４Ａに対向する部分である平面部４Ａが示されており、また、湾曲部１４Ｂに対向する部分である電池キャップ４の湾曲部４Ｂが示されている。このように、筐体１４および電池キャップ４は、それらの周方向に、平面部１４Ａ，４Ａ、湾曲部１４Ｂ，４Ｂ，平面部１４Ａ，４Ａ、湾曲部１４Ｃ，４Ｂが、その順番に配置されている。電池キャップ４は、全体が皿状で、開口端部４Ｃ側の開口空間に、本体２の端部が入り込み可能となっている。なお、図４では後述する係合離脱操作部４Ｈの描写を省略している。
【００２３】
カバー部材３の装着状態では、図３，図４の左側の図に示すように、カバー部材３の２つの平板部３Ａは、筐体１４の２つの平面部１４Ａに当接している。また、カバー部材３の１つの湾曲板３Ｂは、筐体１４の湾曲部１４Ｂに当接している。よって、カバー部材３の装着状態では、湾曲部１４Ｂとは反対側に位置する湾曲部１４Ｃは、カバー部材３と当接しておらず、露出している。その露出している湾曲部１４Ｃは、人工喉頭１の正面側である。また、カバー部材３の装着状態では、図３，図４の左側の図に示すように、人工喉頭１の背面側に配置されている設定スイッチ１３は、カバー部材３には覆われず、露出状態となる。
【００２４】
湾曲部１４Ｃの一部には、押しボタンスイッチ１２が配置されている。湾曲部１４Ｂには、設定スイッチ１３と、設定スイッチ１３よりも図３および図４における下側に人工喉頭１の発声条件等の初期設定等の各種の設定を行う設定スイッチ１５と、が配置されている。押しボタンスイッチ１２と設定スイッチ１３は、図３，図４の左側の図に示すように、カバー部材３が筐体１４に取り付けられた状態でも露出している。カバー部材３の装着状態では、設定スイッチ１３は、カバー部材３の長さ方向が制御部１１より短くされることで露出した状態とされている。また、設定スイッチ１５は、図３，図４の左側の図に示すように、カバー部材３が筐体１４に取り付けられた状態ではカバー部材３によって覆われ外部に露出しない状態となっている。なお、設定スイッチ１３と設定スイッチ１５は操作部となる。
【００２５】
人工喉頭１の筐体１４には、カバー部材３の図３および図４における下側の端部（カバー部材３の一方の端部３Ｃ）を除く全ての端部を収容するひさし部１４Ｄ，１４Ｅが形成されている。ひさし部１４Ｄは図４に示すように、設定スイッチ１３の図４の下方近傍に配置され、ひさし部１４Ｅ，１４Ｅは、図３、図４に示すように、平坦部１４Ａ，１４Ａに配置されている。したがって、ひさし部１４Ｄ，１４Ｅは、カバー部材３が装着された状態でカバー部材３の一方の端部３Ｃ以外のカバー部材３の端部が配置されるべき位置に沿って筐体１４の表面に配置されている。すなわち、カバー部材３はその一方の端部３Ｃ以外の端部が本体２のひさし部１４Ｄ，１４Ｅ，１４Ｅにはまり込み、本体２すなわち筐体１４から外れないように係止されることとなる。
【００２６】
ここで、ひさし部１４Ｄは、カバー部材３の一方の端部３Ｃとは反対となる側の端部を覆うように形成され、ひさし部１４Ｅ，１４Ｅは、カバー部材３の幅方向の両端部を覆うように形成されている。この結果、カバー部材３は、平面部１４Ａに形成される図３および図４において上下方向に長く形成されるひさし部１４Ｅ，１４Ｅに沿って筐体１４に脱着される。すなわち、このひさし部１４Ｅ，１４Ｅは、カバー部材３の脱着の方向を決定している。このカバー部材３の脱着は、電池キャップ４が取り外された状態で可能となる。なお、ひさし部１４Ｅ，１４Ｅはガイド溝となる。
【００２７】
筐体１４の底側（図３、図４では下方側）には、電池収納部１４Ｆ（図３、図４の右側の図参照）が設けられている。電池収納部１４Ｆは、図４の右下の図に示すように電池が収納される凹部１４Ｆ１と、この凹部１４Ｆ１をはさんで対向し、底側に突出する２つのキャップ係合部１４Ｆ２，１４Ｆ２と、を有している。キャップ係合部１４Ｆ２は、図４の右下の図に示されるように、Ｄ形形状とされている。
【００２８】
図５は、図４の右下の底面図のＡ−Ａ線で切断したときの電池キャップ４の縦断面図である。係止部材となる電池キャップ４は、図４の右下の図およびこの図５に示すように、平面部４Ａ，４Ａ、湾曲部４Ｂ，４Ｂ、開口端部４Ｃ、底部４Ｄに加え、図５に示すように、開口端部４Ｃの内周面４Ｅと、その内周面４Ｅよりも内側に存在し内周面４Ｅよりも径が小さい内周面４Ｆと、内周面４Ｅと内周面４Ｆとをつなぐ平坦面４Ｇとを有している。なお、図５では後述する係合離脱操作部４Ｈの描写を省略している。
【００２９】
図６は、電池キャップ４が本体２に装着されている状態の縦断面図である。筐体１４の電池収納部１４Ｆは、電池キャップ４によって覆われている。この実施形態では、電池キャップ４が装着された状態では、筐体１４の底側の外周面は、内周面４Ｅと所定の距離をもって対向している。また、筐体１４の外周面となる湾曲部１４Ｂ，１４Ｃと、電池収容部１４Ｆのキャップ係合部１４Ｆ２の円弧部１４Ｆ３とをつなぐ平坦面は、平坦面４Ｇと接触している。
【００３０】
係合離脱操作部４Ｈを周方向に移動させることで、内周面４Ｆと、電池収納部１４Ｆのキャップ係合部１４Ｆ２の外周面となる円弧部１４Ｆ３とは共に押圧され、電池キャップ４が人工喉頭１から外れないようにされている。電池収納部１４Ｆのキャップ係合部１４Ｆ２は、その押圧力によっても変形等することの無い程度の剛性を有している。また、その押圧力を解除することによって、電池キャップ４が取り外される。
【００３１】
図６に示すように、筐体１４の湾曲部１４Ｂと、平坦部４Ｇと、内周面４Ｅとで溝部３０が形成される。また、筐体１４の平面部１４Ａおよび湾曲部１４Ｃと、平坦部４Ｇと、内周面４Ｅとで、同様な溝部３０が形成される。これらの溝部３０にカバー部材３の一方の端部３Ｃが収容される。カバー部材３は、ひさし部１４Ｄ，１４Ｅ，１４Ｅおよび溝部３０に上下左右の全ての端部がはまり込むことによって保持される。
【００３２】
（本考案の実施の形態によって得られる主な効果）
人工喉頭１は、表面の一部である筐体１４の一部を被覆するカバー部材３と電池キャップ４とを備え、電池キャップ４を取り外すことでカバー部材３が脱着可能となるようにしている。また、人工喉頭１は、喉頭摘出者の発声補助機器として手で保持されながら使用されるものである。よって、カバー部材３が手と人工喉頭１との間に介在することとなり、長期間の使用によっても人工喉頭１が汚れにくい。すなわち、カバー部材３が汚れたら他のカバー部材３に取り替えができるのである。また、カバー部材３のみを洗浄したり、研磨したりしてきれいなものとすることができる。また、カバー部材３は、種々の色および材質のものを選択して人工喉頭１の筐体１４部分に脱着することができるため、飽きがこない。特に人工喉頭１は、同様に手で取り扱う髭剃り器等とは異なり、一日中使用する場合もあり、使用頻度が高いため、汚れと飽きの問題を改善した本考案は重要である。
【００３３】
また、人工喉頭１は、その形状を棒状とし、その長さ方向に沿ってカバー部材３が脱着されるため、脱着時のカバー部材３と筐体１４との衝撃を小さくでき、脱着時に人工喉頭１が傷つきにくい。
【００３４】
また、人工喉頭１は、表面に人工喉頭１の機能の一部を発揮させる操作部である設定スイッチ１３と設定スイッチ１５を備え、カバー部材は、設定スイッチ１３を避けて設定スイッチ１５を含む表面の一部を被覆している。この構成を採用することによって、人工喉頭１の操作のうち、比較的頻繁に操作される設定スイッチ１３をカバー部材３から露出させることで、カバー部材３が操作の邪魔にならないようにできる。また、カバー部材３は、設定スイッチ１５の他に、本体２の各パーツを接合している本体パーツ接合部１６を被覆しているので、接合部を本体２の表面にもってきても見た目が汚くなることはない。
【００３５】
また、人工喉頭１は、その表面には、カバー部材３の脱着の方向を決定しカバー部材３の端部を収容するガイド溝となるひさし部１４Ｅ，１４Ｅが形成されている。この構成を採用することによって、カバー部材３を位置精度良く配置することができる。
【００３６】
また、係止部材が電力源となる電池を保持する電池キャップ４であり、カバー部材３が装着されている状態では、電池キャップ４によってカバー部材３の取り外しが阻止されている。電池キャップ４は、人工喉頭１を構成する部材の中では、電池の交換時等のように、一定時間が経過する度に取り外しがされる部材である。よって、電池の交換時期に合わせてカバー部材３を交換する等でき、カバー部材３の交換が容易となる。
【００３７】
また、人工喉頭１は、その形状を円柱状の形状とし、円柱の側面のうち初期の設定に必要となる設定スイッチ１５が配置される側にカバー部材３が配置されると共に設定スイッチ１５を覆うように配置されている。この構成を採用することによって、比較的頻繁には操作されない設定スイッチ１５をカバー部材３によって覆い、初期の設定条件を一旦設定した後の不用意な設定変更を避けることができる。
【００３８】
また、人工喉頭１には、表面がカラー化されたカバー部材３が装着されている。そのため、ユーザーは、人工喉頭１を使用する時の気分等によって、好みの色のカバー部材３を装着させることができるため、より飽きが来にくい人工喉頭１とすることができる。
【００３９】
また、人工喉頭１は、カバー部材３が装着されていないものとすることができる。また、設定スイッチ１５の設定を人工喉頭１を使用しながら変更したい場合に対応させることができる。また、筐体１４の表面を平滑にする、筐体１４の材質をシリコーン樹脂等にする等の構成を採用することで、カバー部材３が無くても人工喉頭１を汚れにくいものとすることが可能である。
【００４０】
カバー部材３は、喉頭摘出者の発声補助機器として手で保持されながら使用される人工喉頭１の本体２の表面を覆うために、その本体２に脱着可能とされる。そのため、カバー部材３が手と人工喉頭１との間に介在することとなり、長期間の使用によっても人工喉頭１が汚れにくい。また、カバー部材３は、種々の色および材質のものを選択して人工喉頭１の筐体１４部分に脱着することができるため、飽きがこない。
【００４１】
（他の形態）
上述した本発明の実施の形態に係る人工喉頭１およびそのカバー部材３は、本発明の好適な形態の一例ではあるが、これに限定されるものではなく本発明の要旨を変更しない範囲において種々の変形実施が可能である。
【００４２】
本考案の実施の形態に係る人工喉頭１は、喉頭摘出者の発声補助機器として手で保持されながら使用される電気式人工喉頭１である。そして、この人工喉頭１は、発声機能を発揮させるための回路を内部に有する本体２と、その本体２の表面の一部を被覆する脱着可能なカバー部材３と、本体２の残部から取り外すことでカバー部材３が脱着可能となるようにした係止部材（電池キャップ４）と、を備えている。しかし、カバー部材３を脱着可能にする係止部材を設けないようにしてもよい。すなわち、係止部材の有無にかかわらずカバー部材３を脱着できるようにしてもよい。
【００４３】
また、本考案の実施の形態に係る人工喉頭１は、本体２の形状を棒状とし、その長さ方向に沿ってカバー部材３が脱着されている。しかし、このカバー部材３を幅方向に沿って脱着するようにしてもよい。また、この人工喉頭１は、本体２の表面に人工喉頭１の機能の一部を発揮させる操作部を備え、カバー部材３は、操作部の一部または全部を避けて本体２の表面の一部を被覆している。しかし、カバー部材３を操作部を避けることなく本体２の表面を被覆しても良い。その場合、少なくとも操作部の部分を透明にしたカバー部材３とするのが好ましい。
【００４４】
また、本考案の実施の形態に係る人工喉頭１は、本体２の形状を円柱状の形状とし、円柱の側面のうち初期の設定に必要となる設定スイッチが配置される側にカバー部材３が設定スイッチ１５を覆うように配置されている。しかし、カバー部材３は、設定スイッチ１５を覆わないようにしても良い。また、この人工喉頭１は、表面がカラー化されたカバー部材３が装着されている。なお、カバー部材３はカラー化していないもの、すなわち本体２と同様な地色のものとしても良い。また、この人工喉頭１は、カバー部材３が装着されていないものとすることができる。
【００４５】
カバー部材３は、人工喉頭１の表面の一部である筐体１４のさらに一部を被覆しているが、たとえば筐体１４の全部を被覆することとしても良い。また、カバー部材３は、筐体１４の周方向に連続して配置されず、湾曲部１４Ｃには全く配置されていないが、筐体１４の周方向を取り囲むように配置されることとしても良い。このように、カバー部材３が筐体１４の周方向を取り囲むように配置することで、人工喉頭１をどの方向から手で保持しても、手がカバー部材３と接触するため、人工喉頭１がより汚れにくくなる。
【００４６】
また、カバー部材３は、平滑な成形物であるが、着色される色は、黒色、ピンク色、緑色、黄色、赤色、白色、玉虫色、透明色、または金属光沢を発する色等に変更できる。また、カバー部材３は、市松模様等の各種の模様、風景画、人物画、漫画等の各種の絵、文字、バーコード等またはこれらの組み合わせが描かれるものとすることができる。このようにカバー部材３に表示される画像の種類を異ならせることで、人工喉頭１の所有者の特定が容易となる。
【００４７】
また、カバー部材３は、その表面形状を平滑にせず、凹および／または凸を有する形状、周方向または周方向と直交する方向に直線状の溝が形成される形状とすることができる。さらに凸を有する場合には、その形状を尖った形状とすることができる。このように、カバー部材３の表面を平滑以外の形状とすることで、手でカバー部材３に接触しながら人工喉頭１を保持する際に、その手の滑り止め効果を得ることができる。また、カバー部材３の表面が光を散乱しやすくなり、カバー部材３の表面が平滑な場合に比べて外観上異なる質感を表現させることができる。また、カバー部材３が所定間隔に円形等の貫通孔を有していても同様の効果を得ることができる。
【００４８】
また、カバー部材３は、その材質を樹脂とせず、織布、不織布、紙、金属、またはセラミック等とすることができる。たとえば、カバー部材３の材質を軟らかい材質とした場合には、設定スイッチ１３等の可動部材を覆うようにカバー部材３を配置できる。すると、設定スイッチ１３は、カバー部材３を介して押されることとなり、設定スイッチ１３が汚れにくくなると共に、埃等が設定スイッチ１３と筐体１４の隙間に溜まらないようにすることができる。
【００４９】
また、カバー部材３は、１つではなく、複数個に分けて配置することができる。すると、たとえば筐体１４に接触する部分は硬い材質のものとし、設定スイッチ１３等の可動部材を被覆する部分には軟らかい材質のものを用いることができる。
【００５０】
取り外すことでカバー部材３が脱着可能となる係止部材は、電池キャップ４としているが、それ以外の人工喉頭１の構成部材であっても良い。たとえば、係止部材を、音源部１０のとしても良い。この場合は、カバー部材３を筐体１４から脱着する際の方向が係止部材を電池キャップ４とした場合とは逆方向となる。すなわち、音源部１０側で脱着することとしても良い。また、電池キャップ４以外の蓋部材としても良い。
【００５１】
人工喉頭１は、その形状を棒状（略円柱形状）としているが、直方体形状または５以上の多角柱形状、円盤状等種々の形状とすることができる。また、
人工喉頭１は、棒状の長さ方向に沿ってカバー部材３を脱着する構成を採用しているが、そのような構成を採用する必要は必ずしも無い。たとえば、人工喉頭１は、棒状の長さ方向に直交する方向に沿ってカバー部材３を脱着する構成を採用しても良い。
【００５２】
また、人工喉頭１は、表面に人工喉頭１の機能の一部を発揮させる操作部である設定スイッチ１３と設定スイッチ１５を備え、カバー部材３は、設定スイッチ１３を避けて表面の一部を被覆している。しかし、そのような構成を採用する必要は必ずしも無い。たとえば、設定スイッチ１５を避けて表面の一部をカバー部材３が被覆する構成としても良い。また、設定スイッチ１３と設定スイッチ１５の双方を避けて表面の一部をカバー部材３が被覆する構成としても良い。
【００５３】
また、人工喉頭１は、表面には、カバー部材３の脱着の方向を決定しカバー部材３の端部を収容するガイド溝となるひさし部１４Ｅ，１４Ｅが形成されている。しかし、そのような構成を採用する必要は必ずしも無い。たとえば、カバー部材３は粘着剤または接着剤等で筐体１４に固定される構成を採用しても良い。
【００５４】
また、係止部材が電池キャップ４であり、カバー部材３が装着されている状態では、電池キャップ４によってカバー部材３の取り外しが阻止されている。しかし、そのような構成を採用する必要は必ずしも無い。たとえば、カバー部材３が装着されている状態で、電池キャップ４によってカバー部材３の取り外しが阻止されていない構成とすることができる。
【００５５】
また、人工喉頭１は、電池キャップ４の内周面４Ｆと電池収容部１４Ｆの外周面とが係合離脱操作部４Ｈを介してまたは介さず直接に押圧することで電池キャップ４が取り付けられている構成を採用しているが、電池キャップ４と筐体１４とのねじ結合によって電池キャップ４が取り付けられる等、他の構成を採用しても良い。
【符号の説明】
【００５６】
１  人工喉頭（電気式人工喉頭）
２  本体
３  カバー部材
３Ｃ  端部
４  電池キャップ（係止部材、キャップ部材）
１３  設定スイッチ（操作部）
１４Ｅ  ひさし部（ガイド溝）
１４Ｆ  電池収容部
１５  設定スイッチ（操作部）
【図１】
0003150181.tif 000003
【図２】
0003150181.tif 000004
【図３】
0003150181.tif 000005
【図４】
0003150181.tif 000006
【図５】
0003150181.tif 000007
【図６】
0003150181.tif 000008